(57)【要約】【課題】  前照灯ユニットを機種間で共通化し、製作コストを削減する。【解決手段】  ハウジング１４に、前方照射用バルブ１５、前照灯用リフレクタ１７及びレンズ１９を組み付けて構成され、車両前部に装着される前照灯ユニット１２であって、ハウジング１４を、左右に分割されたハウジングピース１４Ｌ、１４Ｒで構成すると共に、これらのハウジングピース１４Ｌ、１４Ｒを、一体的に結合した状態、又は、左右に分離した状態で、車両前部に装着する。【選択図】        図１２
2005335468.tif 000002
【特許請求の範囲】
【請求項１】
ユニットのベースとなるハウジングに、前方照射用バルブ、リフレクタ及びレンズを組み付けて構成され、作業車両の前部に装着される前照灯ユニットにおいて、
前記ハウジングを、左右に分割されたハウジングピースで構成すると共に、これらのハウジングピースを、一体的に結合した状態、又は、左右に分離した状態で、前記作業車両の前部に装着することを特徴とする作業車両用前照灯ユニット。
【発明の詳細な説明】
【技術分野】
【０００１】
本発明は、トラクタなどの作業車両前部に装着される作業車両用前照灯ユニットに関する。
【背景技術】
【０００２】
一般に、トラクタなどの作業車両は、機体前部に前照灯ユニットを備えている。この種の前照灯ユニットは、通常、樹脂成形されるハウジングと、前方照射用のバルブと、バルブの照射光を前方に反射させるリフレクタと、リフレクタ及びバルブの前方を覆うレンズとを一体的に備えて構成され、作業車両の前部に装着される（例えば、特許文献１〜４参照。）。
【特許文献１】実開昭６１−１５３６５１号公報
【特許文献２】特開２０００−７９８５８号公報
【特許文献３】特開２００３−７１０６号公報
【特許文献４】特開２００３−３００４４０号公報
【発明の開示】
【発明が解決しようとする課題】
【０００３】
しかしながら、従来では、装着する機種に応じて前照灯ユニットを個別に製作していたため、前照灯ユニットを安価に製作できないという問題があった。特に、前照灯ユニットのベースとなるハウジングは、樹脂で一体成形される大型の成形品であり、これを機種に応じて個別に製作すると、金型費用だけでも膨大となってしまう。
【課題を解決するための手段】
【０００４】
本発明は、上記の如き実情に鑑みこれらの課題を解決することを目的として創作されたものであって、ハウジングに、前方照射用バルブ、リフレクタ及びレンズを組み付けて構成され、作業車両の前部に装着される前照灯ユニットにおいて、前記ハウジングを、左右に分割されたハウジングピースで構成すると共に、これらのハウジングピースを、一体的に結合した状態、又は、左右に分離した状態で、前記作業車両の前部に装着することを特徴とする。
このように構成すると、前照灯ユニットを機種間で共通化し、その製作コストを大幅に削減することが可能になる。例えば、ある機種では、ハウジングピースを一体的に結合した状態で車両前部に装着し、また、それよりも大型の機種では、ハウジングピースを左右に分離した状態で車両前部に装着することができる。
【発明を実施するための最良の形態】
【０００５】
次に、本発明の実施形態を図面に基づいて説明する。図１において、１はトラクタの走行機体であって、該走行機体１は、機体前部に搭載されるエンジン（図示せず）と、該エンジンの発生動力を変速するトランスミッション２と、該トランスミッション２が供給する走行動力で駆動される前輪３及び後輪４と、機体を覆う樹脂製の機体カバー５と、該機体カバー５の後部上方に設けられる運転席６とを備える。また、機体後部には、任意の作業機が装着され、この作業機にも動力供給が行われる。
【０００６】
機体カバー５としては、機体前端部に装着されるフロントパネル７と、エンジンルームの上方を覆う開閉自在なボンネット８と、エンジンルームの左右側方を覆うサイドカバー９と、機体後部上方を覆うメインカバー１０と、ステアリング軸などを覆うハンドルポストカバー１１が設けられる。本発明は、フロントパネル７に特徴を有しており、以下、フロントパネル７について、図２〜図１３を参照して説明する。
【０００７】
これらの図に示すように、フロントパネル７は、パネル上部を構成する前照灯ユニット１２と、パネル下部を構成するフロントグリル１３とからなり、それぞれが個別に製作される。このようにすると、フロントパネル全体を一体成形する場合に比べて、金型を小型化できるため、型費を削減できる。
【０００８】
フロントグリル１３は、平面視冂字状に形成されており、その正面には、エンジン冷却風を導入する複数の開口１３ａが形成されている。また、フロントグリル１３の下端部左右両側には、それぞれ、所定間隔を存して前後に並ぶ一対の係合突起１３ｂが突設されている。
【０００９】
前照灯ユニット１２は、フロントグリル１３と同様、平面視冂字状に形成されており、ハウジング１４、前方照射用バルブ１５、前照灯用ソケット１６、前照灯用リフレクタ１７、側方照射用バルブ（図示せず）、側照灯用ソケット（図示せず）、側照灯用リフレクタ１８、レンズ１９及びセンターカバー２０を備えて構成されている。
【００１０】
ハウジング１４は、前方照射用バルブ１５、前照灯用ソケット１６及び前照灯用リフレクタ１７を収容する左右一対の前照灯収容凹部１４ａと、その底部に形成されるソケット組込孔１４ｂと、側方照射用バルブ、側照灯用ソケット及び側照灯用リフレクタ１８を収容する左右一対の側照灯収容凹部１４ｃと、その底部に形成されるソケット組込孔１４ｄと、下端部から下方に突出する複数の連結片１４ｅと、上端部から後方に突出するフランジ片１４ｆとを備える。
【００１１】
前照灯用リフレクタ１７は、底部にソケット嵌合孔１７ａを有し、側照灯収容凹部１４ｃに前方から組み込まれる。前方照射用バルブ１５は、前照灯用ソケット１６に装着され、前照灯用ソケット１６は、後方からソケット組込孔１４ｂを介して前照灯用リフレクタ１７のソケット嵌合孔１７ａに嵌合組み付けされる。尚、側方照射用バルブ、側照灯用ソケット及び側照灯用リフレクタ１８も、同様の手順で側照灯収容凹部１４ｃに組込まれる。
【００１２】
レンズ１９は、前照灯用レンズ及び側照灯用レンズに兼用される。具体的に説明すると、本実施形態のレンズ１９は、平面視Ｌ字状の透光性樹脂部材からなり、ハウジング１４に前方から組み付けることにより、前照灯用リフレクタ１７及び側照灯用リフレクタ１８の前方を覆うようになっている。
【００１３】
次に、ハウジング１４について詳細に説明する。ハウジング１４は、左右に分割されたハウジングピース１４Ｌ、１４Ｒで構成されている。これらのハウジングピース１４Ｌ、１４Ｒは、一体的に結合した状態、又は、左右に分離した状態で機体前部に装着される。これにより、成形型をさらに小型化できるだけでなく、前照灯ユニット１２を機種間で共通化し、その製作コストを大幅に削減することが可能になる。つまり、ある機種では、ハウジングピース１４Ｌ、１４Ｒを一体的に結合した状態で車両前部に装着し、また、それよりも大型で機体前部幅が広い機種では、ハウジングピース１４Ｌ、１４Ｒを左右に分離した状態で車両前部に装着することにより、前照灯ユニット１２の兼用化が可能となる。
【００１４】
具体的に説明すると、左側のハウジングピース１４Ｌには、左側の前照灯収容凹部１４ａ及び側照灯収容凹部１４ｃが形成され、右側のハウジングピース１４Ｒには、右側の前照灯収容凹部１４ａ及び側照灯収容凹部１４ｃが形成されている。また、各ハウジングピース１４Ｌ、１４Ｒの内端部には、互いの方向へ突出する結合片１４ｇが形成されている。そして、各ハウジングピース１４Ｌ、１４Ｒの結合片１４ｇを前後に重合させると共に、これらに貫通させたボルト２１を締め付けることにより、左右のハウジングピース１４Ｌ、１４Ｒが一体的に結合される。また、センターカバー２０は、結合された結合片１４ｇの前側に重合され、結合片１４ｇの裏側からねじ込まれるボルト２２によって前照灯ユニット１２に固定される。このようにすると、ハウジング１４を左右に分割しても、ハウジングピース１４Ｌ、１４Ｒ同士の結合部がセンターカバー２０によって覆われ、良好な外観となる。
【００１５】
上記のように構成される前照灯ユニット１２とフロントグリル１３は、予め一体的に結合した上で、車両前部に着脱自在に装着される。具体的には、前照灯ユニット１２の連結片１４ｅをフロントグリル１３の上端部裏面に重ね合わせ、ここにボルト２３をねじ込むことにより、前照灯ユニット１２とフロントグリル１３を予め一体的に結合させる。このようにすると、車両に対する着脱に際し、フロントパネル７を一体物として取り扱うことができるため、エンジンルームの前端部に配置されるバッテリＢなどのメンテナンスに際して、前照灯ユニット１２とフロントグリル１３を別々に取り外す場合に比べ、メンテナンス性を向上させることができる。しかも、左右に分割されたハウジングピース１４Ｌ、１４Ｒがフロントグリル１３を介して一体的に連結されるため、ハウジングピース１４Ｌ、１４Ｒの結合強度も高めることができる。
【００１６】
走行機体１の前端部には、フロントパネル７を着脱するために、左右一対の係合ピン２４と、フロントパネルブラケット２５と、ここにねじ込まれる左右一対のノブボルト２６が設けられている。係合ピン２４は、走行機体１のシャーシ１ａに設けられるプレート２７から左右方向に突出しており、その位置は、フロントグリル１３の係合突起１３ｂに対応させてある。
【００１７】
フロントパネルブラケット２５は、エアクリーナ取付ブラケット２８から延設したステー２９に一体的に設けられており、その位置は、前照灯ユニット１２のフランジ片１４ｆに対応させてある。ちなみに、エアクリーナ取付ブラケット２８は、ステー３０を介して、シャーシ１ａ及びラジエータ取付ブラケット３１に支持される既存の部材である。
【００１８】
機体前部にフロントパネル７を装着する場合は、まず、フロントパネル７の下端部から突出する左右の係合突起１３ｂを、それぞれ機体側の係合ピン２４に上方から係合させる。次に、フロントパネル７の上端部に形成されるフランジ片１４ｆを、機体側のフロントパネルブラケット２５に沿わせ、フランジ片１４ｆに形成される左右の溝部１４ｈをノブボルト２６に係合させる。そして、ノブボルト２６をねじ込むと、ノブボルト２６とフロントパネルブラケット２５との間にフランジ片１４ｆが挟持され、フロントパネル７が一体的に機体に固定される。また、フロントパネル７の取り外しは、上記と逆の手順で行うことができる。いずれの場合も、フロントパネル７が一体物として取り扱われる。
【００１９】
図１４及び図１５は、図１に示したトラクタ１よりも大型のクローラトラクタ１００に、前記前照灯ユニット１２を取付けた状態を示している。クローラトラクタ１００は、基端前端部幅がトラクタ１よりも広いため、ハウジングピース１４Ｌ、１４Ｒを左右に分離すると共に、両ハウジングピース１４Ｌ、１４Ｒを、前記センターカバー２０よりも幅広に形成されるセンターカバー１０１を介して結合してある。また、この実施例では、フロントグリル１０２が前照灯ユニット１２の上側に設けられるが、この場合においても、フロントグリル１０２と前照灯ユニット１２を予め結合し、フロントパネル１０３を一体物として取り扱うことができる。このようにすると、ハウジングピース１４Ｌ、１４Ｒを左右に分離しても、フロントグリル１０２を介してハウジングピース１４Ｌ、１４Ｒが結合され、その結合強度が高められる。
【００２０】
叙述の如く構成された本実施形態の前照灯ユニット１２は、ハウジング１４に、前方照射用バルブ１５、前照灯用リフレクタ１７及びレンズ１９を組み付けて構成され、車両前部に装着されるものであるが、ハウジング１４を、左右に分割されたハウジングピース１４Ｌ、１４Ｒで構成すると共に、これらのハウジングピース１４Ｌ、１４Ｒを、一体的に結合した状態、又は、左右に分離した状態で、車両前部に装着するように構成されるため、前照灯ユニット１２を機種間で共通化し、その製作コストを大幅に削減することが可能になる。つまり、ある機種では、ハウジングピース１４Ｌ、１４Ｒを一体的に結合した状態で車両前部に装着し、また、それよりも大型の機種では、ハウジングピース１４Ｌ、１４Ｒを左右に分離した状態で車両前部に装着することができる。
【００２１】
また、フロントパネル７は、個別に形成される前照灯ユニット１２とフロントグリル１３によって構成されるが、前照灯ユニット１２とフロントグリル１３を予め結合して、一体化されたフロントパネル７を構成すると共に、この一体化されたフロントパネル７を車両前部に対して着脱自在に装着するため、前照灯ユニット１２とフロントグリル１３を別々に着脱するものに比べ、フロントパネル７の着脱性が向上し、バッテリＢなどのメンテナンスが容易になる。
【図面の簡単な説明】
【００２２】
【図１】トラクタの側面図である。
【図２】フロントパネルの装着状態を示す機体前部の正面図である。
【図３】フロントパネルの装着状態を示す機体前部の側面図である。
【図４】フロントパネルの正面図である。
【図５】フロントパネルの背面図である。
【図６】フロントパネルの平面図である。
【図７】フロントパネルの側面図である。
【図８】フロントパネルのＸ−Ｘ断面図である。
【図９】フロントパネルの斜視図である。
【図１０】フロントパネルの分解状態を示す正面斜視図である。
【図１１】フロントパネルの分解状態を示す背面斜視図である。
【図１２】前照灯ユニットの分解斜視図である。
【図１３】前照灯部分の断面図である。
【図１４】クローラトラクタの正面図である。
【図１５】クローラトラクタの側面図である。
【符号の説明】
【００２３】
１      走行機体（トラクタ）
７      フロントパネル
１２    前照灯ユニット
１３    フロントグリル
１３ｂ  係合突起
１４Ｌ  ハウジングピース
１４Ｒ  ハウジングピース
１４ｅ  連結片
１４ｆ  フランジ片
１４ｇ  結合片
１５    前方照射用バルブ
１７    前照灯用リフレクタ
１９    レンズ
２０    センターカバー
２４    係合ピン
２５    フロントパネルブラケット
２６    ノブボルト
１００  クローラトラクタ
１０１  センターカバー
１０２  フロントグリル
１０３  フロントパネル
Ｂ      バッテリ
【図１】
2005335468.tif 000003
【図２】
2005335468.tif 000004
【図３】
2005335468.tif 000005
【図４】
2005335468.tif 000006
【図５】
2005335468.tif 000007
【図６】
2005335468.tif 000008
【図７】
2005335468.tif 000009
【図８】
2005335468.tif 000010
【図９】
2005335468.tif 000011
【図１０】
2005335468.tif 000012
【図１１】
2005335468.tif 000013
【図１２】
2005335468.tif 000014
【図１３】
2005335468.tif 000015
【図１４】
2005335468.tif 000016
【図１５】
2005335468.tif 000017